(57)【要約】  【課題】安価なＧａＮ系青色ＬＥＤをベースとした白色ＬＥＤを冷蔵庫等の庫内照明として使用する場合に、白色光が青味を帯びて、食品の見た目の印象が悪くなり、演出性を損なうという課題がある。  【解決手段】白色ＬＥＤ２の発光部全体を、黄色蛍光材を含有したランプカバー７で覆うことにより、青味を帯びた白色光がランプカバー７を通過し、５６０ｎｍ付近の黄色波長を調光補充して、青味のない自然に近い白色光をランプカバー７から発光させて、食品の視覚的な印象を損なわず、庫内照射の演出性を高めるものである。【選択図】図２
2008041605.tif 000002
【特許請求の範囲】
【請求項１】
青色ＬＥＤからの青色光を用いて蛍光材を励起して白色光を得る白色ＬＥＤと、前記白色ＬＥＤを複数個並設した実装基板と、黄色蛍光材を含有した材料で形成され、前記白色ＬＥＤからの発光部全体を覆うランプカバーを具備した照明装置。
【請求項２】
前記ランプカバーを、光拡散性を持つ材料を含有する材料より構成した請求項１に記載の照明装置。
【請求項３】
青色ＬＥＤからの青色光を用いて蛍光材を励起して白色光を得る白色ＬＥＤと、前記白色ＬＥＤを複数個並設した実装基板と、前記白色ＬＥＤからの発光部全体を覆うランプカバーと、前記ランプカバーのＬＥＤ側裏面に均一に貼り付けられた透過性黄色フィルムを具備する照明装置。
【請求項４】
前記ランプカバーを、エポキシ、アクリル、ポリカーボネート、ポリエチレン、ポリスチレン、ポリプロピレン等の透明樹脂のいずれか、もしくはこれらのいずれかを含む複合材料をベース材として形成した請求項１から請求項３のいずれか一項に記載の照明装置。
【請求項５】
前記白色ＬＥＤと電流制限抵抗の直列回路を複数設け、これらの直列回路を並列に接続してブロック化された並列回路を構成し、前記並列回路の両端を直流電源に接続した請求項１から請求項４のいずれか一項に記載の照明装置。
【請求項６】
前記複数個の白色ＬＥＤのアノード側およびカソード側をそれぞれ並列に接続してブロック化された並列回路を構成し、さらに前記並列回路と直列に電流制限抵抗を接続して直列回路を構成し、前記直列回路の両端を直流電源に接続した請求項１から請求項４のいずれか一項に記載の照明装置。
【請求項７】
前記電流制限抵抗を前記実装基板に実装した請求項５または請求項６に記載の照明装置。
【請求項８】
請求項１から請求項７のいずれか一項に記載の照明装置を、貯蔵室内の壁面に具備する冷蔵庫。
【発明の詳細な説明】
【技術分野】
【０００１】
本発明は、貯蔵室内に保存された保存物を照射する照明装置および、この照明装置を庫内に設置した冷蔵庫に関するものである。
【背景技術】
【０００２】
近年、冷蔵庫内の照明装置として、従来の白熱灯や電球に変わり、発熱性が低い、赤外波長がでない、低電圧駆動できる等の理由で白色ＬＥＤを用いるものが提案されている。
【０００３】
従来の白色ＬＥＤを照明装置として利用した冷蔵庫としては、複数の白色ＬＥＤを一枚の基板に実装し、庫内天面に設置して庫内照射しているものがある（例えば、特許文献１参照）。
【０００４】
図６は、上記特許文献１に記載された従来の冷蔵庫の照明装置の斜視図を示すものである。
【０００５】
図６に示すように、照明装置は、実装基板１と、白色ＬＥＤ２と、断熱板４を有して構成されて、冷蔵庫の庫内に設置されるものである。
【０００６】
実装基板１は、平板状で、一面または両面に回路パターン（図示せず）が形成され、熱伝導性の良好なエポキシ樹脂系の基板や絶縁金属基板を使用している。白色ＬＥＤ２は砲弾状に形成され、ＧａＮ系の青色ＬＥＤからの青色光を用いて蛍光材を励起し、白色光を得る構造で、電流を通電する２本の通電端子３が導出される。
【０００７】
断熱板４は、ウレタン等の樹脂により平板状に形成され、複数の挿通孔が並設されて、実装基板１と白色ＬＥＤ２との間に設けられる。ここで、白色ＬＥＤ２は、通電端子３が断熱板４の挿通孔に挿通され、実装基板１の回路パターンに半田付けされて実装され、複数個が実装基板１に並設される。尚、白色ＬＥＤ２の発熱量が少ない場合には、断熱板４は廃止しても構わない構成となっている。
【０００８】
以上のように構成された白色ＬＥＤを照明装置として利用した冷蔵庫について、以下その動作を説明する。
【０００９】
まず、冷蔵庫の扉が閉まっている時には、白色ＬＥＤ２への通電は行わず、庫内は照射されていない。
【００１０】
そして、扉が開けられると、機械式スイッチやホールＩＣ等の電子式スイッチで開扉状態と判断され、実装基板１に直流電圧が印加され、通電端子３を通して白色ＬＥＤ２に順方向電流が流れて、白色光が発光され、庫内が照射される。
【特許文献１】特開平１１−１５９９５３号公報
【発明の開示】
【発明が解決しようとする課題】
【００１１】
しかしながら、上記従来の構成では、白色ＬＥＤ２で発光された白色光が直接庫内を照射し、食品等の保存物を照らすことになる。
【００１２】
一般に白色ＬＥＤ２は、安価であるＧａＮ系ＬＥＤが用いられ、４７０ｎｍ付近の波長の青色ＬＥＤをベースとして、蛍光材で５６０ｎｍ付近の黄色波長を調光する方式を採る。しかし、ＬＥＤ素子と蛍光材の距離が近すぎて十分な調光ができず、白色光がどうしても青味を帯びてしまうのが現状である。この青味を帯びた白色光を食品にあてると、視覚的に冷たさを感じさせたり、食品の見た目の印象が悪くなるという、演出性を損なう課題を有していた。
【００１３】
また、最近は、光の３原色をそれぞれ発光させて、白色光を得るフルカラータイプの白色ＬＥＤもあるが、非常に高価すぎて、冷蔵庫の庫内照射には実用化できない。
【００１４】
本発明は、上記従来の課題を解決するもので、安価なＧａＮ系ＬＥＤを白色ＬＥＤとして用いて、青味を帯びない白色光を食品等の保存物に照射させることとした冷蔵庫を提供することを目的とする。
【課題を解決するための手段】
【００１５】
上記従来の課題を解決するために、本発明の照明装置は、白色ＬＥＤ発光部全体を、黄色蛍光材を含有したランプカバーで覆うようにしたものである。
【００１６】
これによって、青味を帯びた白色光がランプカバーを通過することで、白色ＬＥＤ内で十分に調光できなかった５６０ｎｍ付近の黄色波長を補充し、青味の帯びない自然に近い白色光がランプカバーから発光されることになる。
【００１７】
また、本発明の照明装置は、複数個の白色ＬＥＤを電気的に並列接続し、直流電源から電圧印加して白色ＬＥＤに順方向電流を流すようにしたものである。
【００１８】
これによって、一個の白色ＬＥＤが寿命等で消灯した場合でも、他の白色ＬＥＤへの順方向電流供給は絶えることはなく、発光を継続する。
【００１９】
さらに、本発明の冷蔵庫は、上記照明装置を具備することにより、開扉時における庫内貯蔵物への照明効果を目視的に軟らかくし、見た目の印象を改善することができるものである。
【発明の効果】
【００２０】
本発明の照明装置は、自然に近い白色光が安価に得られ、照明光が作用しても自然に近い色彩効果が得られるものである。また、照明装置は、複数の白色ＬＥＤが全消灯するまで照明効果が得られるため、長寿命化が図れ、高信頼性を確保することができる。
【００２１】
また、本発明の冷蔵庫は、青味を帯びない自然色の白色光が庫内の食品等の保存物に照射できるため、食品の見た目の印象を損なうことがなく、庫内照射の演出性効果を高めることができる。
【発明を実施するための最良の形態】
【００２２】
請求項１に記載の発明は、青色ＬＥＤからの青色光を用いて蛍光材を励起して白色光を得る白色ＬＥＤと、前記白色ＬＥＤを複数個並設した実装基板と、黄色蛍光材を含有した材料で形成され、前記白色ＬＥＤからの発光部全体を覆うランプカバーを具備したものである。
【００２３】
かかる構成とすることにより、青味を帯びない自然に近い白色光を、安価なＧａＮ系ＬＥＤの白色ＬＥＤで実現することができ、経済的にも有利に照明としての演出性を高めることができる。
【００２４】
請求項２に記載の発明は、前記ランプカバーを、光拡散性を持つ材料を含有する材料より構成したものである。
【００２５】
かかる構成とすることにより、指向性のある白色ＬＥＤの発光を、ランプカバーで拡散させて広範囲に照射させることができ、その結果、照射物品に均一な光量を当てることによって、視覚的な照射斑をなくすことができる。
【００２６】
請求項３に記載の発明は、青色ＬＥＤからの青色光を用いて蛍光材を励起して白色光を得る白色ＬＥＤと、前記白色ＬＥＤを複数個並設した実装基板と、前記白色ＬＥＤからの発光部全体を覆うランプカバーと、前記ランプカバーのＬＥＤ側裏面に均一に貼り付けられた透過性黄色フィルムを具備したものである。
【００２７】
かかる構成とすることにより、光源寄りでの調光となり、容易に青味を帯びない白色光を得ることができ、白色光を得るためにランプカバーの構成が制約されるといったことも少なくなり、ランプカバー構成の自由度を増すことができる。
【００２８】
請求項４に記載の発明は、前記ランプカバーを、エポキシ、アクリル、ポリカーボネート、ポリエチレン、ポリスチレン、ポリプロピレン等の透明樹脂のいずれか、もしくはこれらのいずれかを含む複合材料をベース材として形成したものである。
【００２９】
かかる構成とすることにより、ランプカバーを自由な形状に成型加工でき、複雑な形状の成形を可能とし、また取付けを容易とする設計が可能になり、据付本体の最適な位置に照明装置を設置することができる。
【００３０】
請求項５に記載の発明は、前記白色ＬＥＤと電流制限抵抗の直列回路を複数設け、これらの直列回路を並列に接続してブロック化された並列回路を構成し、前記並列回路の両端を直流電源に接続したものである。
【００３１】
かかる構成とすることにより、各白色ＬＥＤと電流制限抵抗の直列回路への順方向電流供給が独立して行え、一個の白色ＬＥＤが寿命や故障で消灯した場合でも、他の白色ＬＥＤは発光状態が継続でき、長寿命で高信頼性の照明装置を得ることができるものである。
【００３２】
請求項６に記載の発明は、前記複数個の白色ＬＥＤのアノード側およびカソード側をそれぞれ並列に接続してブロック化された並列回路を構成し、さらに前記並列回路と直列に電流制限抵抗を接続して直列回路を構成し、前記直列回路の両端を直流電源に接続したものである。
【００３３】
かかる構成とすることにより、前記複数の白色ＬＥＤへの順方向電流を、一個の電流制限抵抗で制御することになるので、実装基板の回路パターンが簡素になり、省スペース化が図れ、経済的にも安価な照明装置を得ることができるものである。
【００３４】
請求項７に記載の発明は、前記電流制限抵抗を前記実装基板に実装したもので、かかることにより、直流電源からの接続ハーネスが簡単になるため、取付け作業工数の削減と低コスト化を図ることができる。
【００３５】
請求項８に記載の発明は、上記照明装置を、貯蔵室内の壁面に設けた冷蔵庫とするものである。
【００３６】
かかる冷蔵庫は、上記照明装置の特徴を組み入れているため、貯蔵室内への自然色に近い白色光の照射が可能となり、その結果、食品の見た目の印象を損なうことがなく、庫内照射の演出効果を高めることができる。また、庫内照明装置として、構成の簡素化がはかれ、安価に構成することができ、さらに長期にわたって照明効果を損なうこともない。
【００３７】
以下、本発明の実施の形態について、図面を参照しながら説明する。ここで、従来例と同一の構成要素については同一の符号を付して、その詳細な説明は省略する。尚、この実施の形態によってこの発明が限定されるものではない。
【００３８】
（実施の形態１）
図１は、本発明の実施の形態１における照明装置を具備する冷蔵庫の構成の概要を示す側面断面図、図２は、図１のＡ−Ａ線による照明装置部の断面図である。
【００３９】
図１により、冷蔵庫の概略構造について説明する。
【００４０】
冷蔵庫は、断熱筐体で構成された冷蔵庫本体２１と、この冷蔵庫本体２１に形成された貯蔵室２２、２３、２４と、各貯蔵室２２、２３、２４に設けられた扉２５、２６、２７を具備している。貯蔵室２２の扉２５は、ヒンジ機構で軸支された回動式であり、残る貯蔵室２３、２４の扉２６、２７は、引出し式の扉構成となっている。
【００４１】
貯蔵室２２の内部側壁上部には、縦長形状の照明装置２８が埋設されている。また、貯蔵室２２には、扉２５の開閉に伴ってＯＮ・ＯＦＦ動作するスイッチ２９が設けられている。
【００４２】
照明装置２８は、扉２５が開放されたとき、スイッチ２９のＯＮ動作によって点灯し、貯蔵室２２内の照明を行うものである。
【００４３】
なお、ここでは冷却装置等については、本発明の要旨と直接関係しないため、また周知の構成でよいため、図示ならびに説明を省略する。
【００４４】
次に、図２により、照明装置２８について説明する。
【００４５】
図１において、照明装置２８は、従来と同様に実装基板１、白色ＬＥＤ２、通電端子３および断熱板４を主体とする構成である。
【００４６】
また、実装基板１は、貯蔵室２２の側壁５の庫内側凹部３０にスペーサー６によって保持されており、白色ＬＥＤ２の発光部から一定の距離をおいて、ランプカバー７が白色ＬＥＤ２の発光部全体を覆うように側壁５の庫内側凹部３０に装着されている。
【００４７】
ランプカバー３０は、エポキシ、アクリル、ポリカーボネート、ポリエチレン、ポリスチレン、ポリプロピレン等の透明樹脂もしくは、その一つを含む複合材料をベース材として、黄色蛍光材を含有した状態で形成されており、周知の如く若干の可撓性を有する係止爪７１等の適宜手段により、側壁５と着脱可能となるように取付けられている。
【００４８】
尚、本実施の形態１においては、照明装置２８を冷蔵庫の貯蔵室２２の側壁５に埋設したが、ランプカバー７を通して食品等の保存物が照射できれば、天壁等庫内の何処の位置に埋設しても良い。
【００４９】
以上のように構成された冷蔵庫について、以下その動作、作用を説明する。
【００５０】
まず、冷蔵庫の扉２２が閉まっている時には、スイッチ２９のＯＦＦ動作により、白色ＬＥＤ２への通電は行わず、貯蔵室２２庫内は照射されていない。扉２２が開けられると、白色ＬＥＤ２に順方向電流が流れ、白色光が発光される。ここまでは従来技術と同様の動作である。
【００５１】
次に、白色ＬＥＤ２から発光された青味を帯びた白色光は、黄色蛍光材を含有したランプカバー７に進光して、５６０ｎｍ付近の黄色波長が十分に調光される。その結果、ランプカバー７を透過した光は、青味の帯びない自然に近い白色光として、ランプカバー７から庫内が照射されることになる。
【００５２】
以上のように、本実施の形態１においては、白色ＬＥＤ２からの青味を帯びた白色光が、黄色蛍光材を含有したランプカバー７を通過する際にランプカバー７によって黄色波長が調光されるもので、青味のない自然に近い白色光で貯蔵室２２内を照射するため、食品等の保存物における見た目の印象を悪くすることがなく、高品位の照明演出を行うことができる。
【００５３】
また、ランプカバー７の表面形状を光拡散可能な形状、あるいはランプカバー７に、光拡散性を持つ材料を含有することにより、指向性のある白色ＬＥＤ２の発光をランプカバー７で拡散させて庫内を照射させることができる。その結果、食品等の保存物に均一な白色光が当たり、視覚的な照射斑を抑制でき、一層照明の演出性を高めることができる。
【００５４】
また、ランプカバー７を、エポキシ、アクリル、ポリカーボネート、ポリエチレン、ポリスチレン、ポリプロピレン等の透明樹脂、あるいはその一つを含む複合材料をベース材として形成することにより、ランプカバー７を自由な形状に成型加工でき、取付けを容易とする設計が可能になり、貯蔵室２２内の任意の位置に照明装置２８を設置することができる。
【００５５】
（実施の形態２）
図３は、本発明の実施の形態２における冷蔵庫の側壁に照明装置を設置した状態を示す断面図で、図２相当図である。ここで、先の実施の形態１と同じ構成要素については、同一の符号を付して説明する。
【００５６】
本実施の形態２において、先の実施の形態１との相違は、先の実施の形態１ではランプカバー７に黄色蛍光材を含有した構成を採用したが、本実施の形態２では、ランプカバー７ａに黄色蛍光材を含有していない点で相違している。
【００５７】
図３において、照明装置２８は、従来と同様に実装基板１、白色ＬＥＤ２、通電端子３および断熱板４を主体とする構成である。
【００５８】
また、実装基板１は、貯蔵室２２の側壁５の庫内側凹部３０にスペーサー６によって保持されており、白色ＬＥＤ２の発光部から一定の距離をおいて、ランプカバー７ａが白色ＬＥＤ２の発光部全体を覆うように側壁５の庫内側凹部３０に装着されている。ランプカバー７ａの具体的な取付け構造および、材質等については、先の実施の形態１と同様で良いため、説明を省略する。また、照明装置２８の取付け位置についても、先の実施の形態１と同様に、所定の照明効果が得られる適宜箇所に設けることができる。
【００５９】
さらに、ランプカバー７ａにおける白色ＬＥＤ２側の裏面には、光透過性黄色フィルム８が貼り付けられている。
【００６０】
以上のように構成された冷蔵庫について、以下その動作、作用を説明する。
【００６１】
まず、冷蔵庫の扉２２が閉まっている時には、白色ＬＥＤ２への通電は行わず、貯蔵室２２庫内は照射されていない。扉２２が開けられると、白色ＬＥＤ２に順方向電流が流れて、白色光が発光される。ここまでは従来技術と同様の動作である。
【００６２】
次に、白色ＬＥＤ２から発光された青味を帯びた白色光は、まず光透過性黄色フィルム８に進光することで５６０ｎｍ付近の黄色波長で調光が行なわれる。そして、ランプカバー７ａに進光し、自然に近い白色光として、ランプカバー７ａから貯蔵室２２内を照射する。
【００６３】
ここで、必要に応じてランプカバー７ａを、先の実施の形態１と同様に黄色蛍光材を含有させた材料から構成してもよい。かかる構成とすれば、光透過性黄色フィルム８での調光に加え、ランプカバー７ａによる調光の二段調光が行え、白色化への確実性を増すことができる。また、前記黄色蛍光材の含有量を調整し、白色化の適正化をはかることもできる。
【００６４】
以上のように、本実施の形態１においては、白色ＬＥＤ２からの青味を帯びた白色光に、透過性黄色フィルム８およびランプカバー７ａを通過させて黄色波長を調光することにより、容易に調光して青味を帯びない白色光が実現でき、庫内照射でより高品位の照明演出を行うことができる。
【００６５】
また、ランプカバー７ａに代えて先の実施の形態１で説明した黄色蛍光材を含有したランプカバー７を用いることも可能であり、かかる構成であれば、ランプカバー７だけでは白色光の青味を改善できない場合に、容易に調光して青味を帯びない白色光が実現でき、庫内照射でより高品位の照明演出を行うことができる。
【００６６】
（実施の形態３）
図４は、本発明の実施の形態３における照明装置を冷蔵庫に用いた場合の電気回路図である。ここで、先の実施の形態２と同一の構成要素については、同一の符号を付して説明する。
【００６７】
図４において、白色ＬＥＤ２のアノード端子側には、第一の電流制限抵抗９の一端が接続され、直列回路構成の第一のユニット１０が形成されている。照明装置２８は、第一のユニット１０を複数具備しており、各第一のユニット１０は、白色ＬＥＤ２のカソード端子の相互が接続され、また第一の電流制限抵抗９の各他端が相互に接続された並列接続回路を構成している。
【００６８】
さらに前記並列接続回路は、ＬＥＤ２のカソード端子側が直流電源１１の−（マイナス）側に、第一の電流制限抵抗９の他端側が、スイッチ２９を介して直流電源１１の＋（プラス）側にそれぞれ接続されている。照明装置２８としては、この直流電源１１およびスイッチ２９を除く電気回路部分が、実装基板１に実装されている。
【００６９】
以上のように構成された冷蔵庫の照明装置２８について、以下その電気回路動作を説明する。
【００７０】
貯蔵室２２の扉２５が開けられると、スイッチ２９がＯＮ動作を行い、直流電源１１が動作状態となって一定電圧が各第一のユニット１０に供給される。
【００７１】
その結果、各第一のユニット１０に直流電源１１の電圧が印加され、第一の電流制限抵抗９の抵抗負荷によって順方向電流として電流が各白色ＬＥＤ２に流れ、白色光が発光される。
【００７２】
また、白色ＬＥＤ２の光度は、順方向電流の値によって変更することが可能で、使用する白色ＬＥＤの順電圧Ｖｆの特性に基づき、直流電源１１の電圧値、第一の電流制限抵抗９の抵抗値を調整して順方向電流を決定すれば良い。
【００７３】
尚、本実施の形態３においては、直流電源１１を定電圧方式として説明したが、順方向電流の精度が必要であれば、直流電源１１を定電流方式にしても良い。
【００７４】
以上のように、本実施の形態３においては、白色ＬＥＤ２と第一の電流制限抵抗９を接続した第一のユニット１０を並列接続することにより、各白色ＬＥＤ２への順方向電流供給は独立となり、一個の白色ＬＥＤ２が寿命や故障で断線した場合でも、他の白色ＬＥＤ２への電流供給が継続される。その結果、全体の照度は少し落ちるものの、全消灯という最悪状態は回避することができ、長寿命で高信頼性の照明装置が確保できる。
【００７５】
また、第一の電流制限抵抗９を実装基板１に実装しているので、直流電源から照明装置へは単純な２線接続になるので、配線の引廻しも簡素であり、簡単な取付けで組立ての作業性が向上できる。
【００７６】
（実施の形態４）
図５は、本発明の実施の形態４における照明装置を冷蔵庫に用いた場合の電気回路図である。ここで、先の実施の形態３と同一の構成要素については、同一の符号を付して説明する。
【００７７】
本実施の形態４において、先の実施の形態３との相違は、図５に示す如く、複数の白色ＬＥＤ２におけるカソード端子の相互が接続され、またアノード端子の相互が接続された並列接続回路を構成し、その並列接続回路における白色ＬＥＤ２のアノード端子側に、第二の電流制限抵抗１３の一端を接続し、第二のユニット１２を構成した点にある。
【００７８】
第二のユニット１２は、白色ＬＥＤ２のカソード端子側が直流電源１１の−（マイナス）側に、第二の電流制限抵抗１３の他端は、スイッチ２９を介して直流電源１１の＋（プラス）側にそれぞれ接続されている。照明装置２８としては、この直流電源１１を除く電気回路部分が、実装基板１に実装されている。
【００７９】
以上のように構成された冷蔵庫の照明装置について、以下その電気回路動作を説明する。
【００８０】
貯蔵室２２の扉２５が開けられると、スイッチ２９がＯＮ動作を行い、直流電源１１が動作状態となって一定電圧が第二のユニット１２に供給される。
【００８１】
その結果、第二のユニット１２に直流電源１１の電圧が印加され、第二の電流制限抵抗１３の抵抗負荷によって順方向電流として電流が各白色ＬＥＤ２にほぼ均等に流れ、白色光が発光される。
【００８２】
また、白色ＬＥＤ２の光度は、順方向電流の値によって変更することが可能で、使用する白色ＬＥＤの順電圧Ｖｆの特性に基づき、直流電源１１の電圧値、第二の電流制限抵抗１３の抵抗値を調整して順方向電流を決定すれば良い。
【００８３】
尚、本実施の形態４においては、直流電源１１を定電圧方式として説明したが、順方向電流の精度が必要であれば、直流電源１１を定電流方式にしても良い。
【００８４】
以上のように、本実施の形態４においては、複数の白色ＬＥＤ２を並列接続して、一端に第二の電流制限抵抗１３を接続した第二のユニット１２を構成することにより、一個の第二の電流制限抵抗１３で複数の白色ＬＥＤ２を発光することができ、実装基板１の回路パターンが簡素になり、省スペースで安価な照明装置を得ることができる。
【００８５】
また、第二の電流制限抵抗１３を実装基板１に実装しているので、直流電源１１から照明装置２８へは単純な２線接続となり、配線の引廻しも簡素で組立ての作業性が向上する。
【００８６】
なお、上記実施の形態１、２、３、４においてはヒンジ式の扉２５を具備した貯蔵室２２を例に説明したが、必要に応じて引出し式の扉２６、２７を具備した貯蔵室２３、２４についても同様に実施できるものである。
【産業上の利用可能性】
【００８７】
以上のように、本発明にかかる照明装置は、家庭用又は業務用冷蔵庫に白色ＬＥＤの照明を適用する場合に実施することはもちろん、扉のある物品貯蔵装置等にも適用でき、白色ＬＥＤ照明を適用する幅広い設備機器に応用できるものである。
【図面の簡単な説明】
【００８８】
【図１】本発明の実施の形態１における照明装置を具備する冷蔵庫の側面断面図
【図２】図１のＡ−Ａ線による照明装置部の断面図
【図３】本発明の実施の形態２における図２相当図
【図４】本発明の実施の形態３における照明装置を冷蔵庫に用いた場合の電気回路図
【図５】本発明の実施の形態４における照明装置を冷蔵庫に用いた場合の電気回路図
【図６】従来例を示す冷蔵庫の照明装置の斜視図
【符号の説明】
【００８９】
１    実装基板
２    白色ＬＥＤ
３    通電端子
４    断熱板
５    冷蔵庫側壁
６    スペーサー
７    ランプカバー
７ａ  ランプカバー
８    透過性黄色フィルム
９    第一の電流制限抵抗
１０  第一のユニット
１１  直流電源
１２  第二のユニット
１３  第二の電流制限抵抗
２１  冷蔵庫本体
２２  貯蔵室
２５  扉
２８  照明装置
２９  スイッチ
【図１】
2008041605.tif 000003
【図２】
2008041605.tif 000004
【図３】
2008041605.tif 000005
【図４】
2008041605.tif 000006
【図５】
2008041605.tif 000007
【図６】
2008041605.tif 000008